【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
視感度最高色である第一色のサブ画素と第二色のサブ画素と視感度最低色である第三色のサブ画素とで構成される画素が２次元に配列された画素アレイであって、
各々の前記画素の前記第一色乃至第三色のサブ画素の回路要素は、行方向に配列され、
前記サブ画素の回路要素に接続されるデータ線は列方向に延在し、
前記サブ画素の回路要素に接続されるゲート線は前記行方向に延在し、
前記第一色のサブ画素及び前記第二色のサブ画素の発光領域は、前記データ線が延在する前記列方向及び前記ゲート線が延在する前記行方向の両方に対して傾斜した第１の方向に直線状に配列され、
前記第三色のサブ画素の発光領域は、前記第一色のサブ画素及び前記第二色のサブ画素の発光領域に対して、前記第１の方向に直交する第２の方向に直線状に配置され、前記第２の方向は、前記データ線が延在する前記列方向及び前記ゲート線が延在する前記行方向の両方に対して傾斜しており、
前記第一色及び前記第二色の２色のサブ画素の回路要素に接続されるデータ線と、前記第二色及び前記第三色の２色のサブ画素の回路要素に接続されるデータ線と、前記第三色及び前記第一色の２色のサブ画素の回路要素に接続されるデータ線とが繰り返し配置される、
ことを特徴とする画素アレイ。
【請求項２】
各々の前記データ線は、奇数列では、前記２色の内の前者の色のサブ画素の回路要素に接続され、偶数列では、前記２色の内の後者の色のサブ画素の回路要素に接続される、
ことを特徴とする請求項１に記載の画素アレイ。
【請求項３】
前記第二色のサブ画素の回路要素と、前記第一色のサブ画素の回路要素と、前記第三色のサブ画素の回路要素と、がこの順に前記行方向に配置され、
奇数列の前記第二色のサブ画素の回路要素に接続される前記データ線は、偶数列では、前記第三色のサブ画素の回路要素に接続され、
奇数列の前記第一色のサブ画素の回路要素に接続される前記データ線は、偶数列では、前記第二色のサブ画素の回路要素に接続され、
奇数列の前記第三色のサブ画素の回路要素に接続される前記データ線は、偶数列では、前記第一色のサブ画素の回路要素に接続される、
ことを特徴とする請求項２に記載の画素アレイ。
【請求項４】
前記第１の方向又は前記第２の方向に隣接する２つの画素の、各々１つの前記第一色のサブ画素と前記第二色のサブ画素と前記第三色のサブ画素とを組み合わせて、画像の境界が表示される、
ことを特徴とする請求項１乃至３のいずれか一に記載の画素アレイ。
【請求項５】
前記画像の境界の延在方向に応じて、前記２つの画素の３色のサブ画素の組み合わせが変化する、
ことを特徴とする請求項４に記載の画素アレイ。
【請求項６】
各画素にあって、前記第一色のサブ画素及び前記第二色のサブ画素の発光領域は、前記第三色のサブ画素の発光領域の中心を通る前記第２の方向の線に対して、前記第１の方向に沿って前記第一色のサブ画素側にずれている、
ことを特徴とする請求項１乃至５のいずれか一に記載の画素アレイ。
【請求項７】
前記第一色のサブ画素と前記第二色のサブ画素とは、前記第１の方向に隣接している、
ことを特徴とする請求項１乃至６のいずれか一に記載の画素アレイ。
【請求項８】
前記第三色のサブ画素の発光領域の面積は、前記第一色のサブ画素の発光領域の面積及び前記第二色のサブ画素の発光領域の面積より大きい、
ことを特徴とする請求項１乃至７のいずれか一に記載の画素アレイ。
【請求項９】
各画素は、前記第一色のサブ画素と、前記第一色のサブ画素に隣接する前記第二色のサブ画素と、前記第一色のサブ画素及び前記第二色のサブ画素の両方に隣接する前記第三色のサブ画素とにより構成されている、
ことを特徴とする請求項１乃至８のいずれか一に記載の画素アレイ。
【請求項１０】
各発光領域は、アノード電極と、カソード電極と、前記アノード電極及び前記カソード電極間のエレクトロルミネッセンス層とを有し、
各回路要素は、ソース及びドレインを含む駆動薄膜トランジスタと、前記アノード電極を前記ソースまたはドレインに接続するコンタクト部とを有し、
偶数行のサブ画素の回路要素における前記コンタクト部の位置が、奇数行のサブ画素の回路要素における前記コンタクト部の位置と異なっている、
ことを特徴とする請求項１乃至９のいずれか一に記載の画素アレイ。
【請求項１１】
視感度最高色である第一色のサブ画素と第二色のサブ画素と視感度最低色である第三色のサブ画素とで構成される画素が２次元に配列された画素アレイであって、
各々の前記画素の前記第一色乃至第三色のサブ画素の回路要素は、行方向に配列され、
前記第一色のサブ画素及び前記第二色のサブ画素の発光領域は、前記行方向に対して傾斜した第１の方向に配列され、
前記第三色のサブ画素の発光領域は、前記第一色のサブ画素及び前記第二色のサブ画素の発光領域に対して、前記第１の方向に直交する第２の方向に配置され、
前記サブ画素の回路要素に接続されるデータ線は列方向に延在し、
前記第一色及び前記第二色の２色のサブ画素の回路要素に接続されるデータ線と、前記第二色及び前記第三色の２色のサブ画素の回路要素に接続されるデータ線と、前記第三色及び前記第一色の２色のサブ画素の回路要素に接続されるデータ線とが繰り返し配置され、
各々の前記データ線は、奇数列では、前記２色の内の前者の色のサブ画素の回路要素に接続され、偶数列では、前記２色の内の後者の色のサブ画素の回路要素に接続され、
前記第二色のサブ画素の回路要素と、前記第一色のサブ画素の回路要素と、前記第三色のサブ画素の回路要素と、がこの順に前記行方向に配置され、
奇数列の前記第二色のサブ画素の回路要素に接続される前記データ線は、偶数列では、前記第三色のサブ画素の回路要素に接続され、
奇数列の前記第一色のサブ画素の回路要素に接続される前記データ線は、偶数列では、前記第二色のサブ画素の回路要素に接続され、
奇数列の前記第三色のサブ画素の回路要素に接続される前記データ線は、偶数列では、前記第一色のサブ画素の回路要素に接続される、
ことを特徴とする画素アレイ。
【請求項１２】
前記第一色はＧ（Green）、前記第二色はＲ（Red）、前記第三色はＢ（Blue）である、ことを特徴とする請求項１乃至１１のいずれか一に記載の画素アレイ。
【請求項１３】
請求項１乃至１２のいずれか一に記載の画素アレイと、前記画素アレイを駆動する回路部と、を備える、ことを特徴とする電気光学機器。
【請求項１４】
前記発光領域が有機エレクトロルミネッセンス材料を含む請求項１乃至１２のいずれか一に記載の画素アレイと、前記画素アレイを駆動する回路部と、が基板上に形成された有機エレクトロルミネッセンス装置を表示装置として備える、ことを特徴とする電気機器。
【請求項１５】
視感度最高色である第一色のサブ画素と第二色のサブ画素と視感度最低色である第三色のサブ画素とで構成される画素が２次元に配列された画素アレイの駆動方法であって、
行方向に配置された各画素における前記第一色、前記第二色及び前記第三色の各サブ画素の回路要素に接続されるデータ線は列方向に延在し、
各サブ画素の回路要素に接続されるゲート線は前記行方向に延在し、
前記第一色のサブ画素及び前記第二色のサブ画素の発光領域は、前記データ線が延在する前記列方向及び前記ゲート線が延在する前記行方向の両方に対して傾斜した第１の方向に直線状に配列され、
前記第三色のサブ画素の発光領域は、前記第一色のサブ画素及び前記第二色のサブ画素の発光領域に対して、前記第１の方向に直交する第２の方向に直線状に配置され、前記第２の方向は、前記データ線が延在する前記列方向及び前記ゲート線が延在する前記行方向の両方に対して傾斜しており、
前記画素の駆動パターンを、
前記第一色のサブ画素と前記第二色のサブ画素と前記第三色のサブ画素の全てを点灯する第１パターン、
前記第一色のサブ画素と前記第二色のサブ画素とを点灯する第２パターン、
前記第一色のサブ画素と前記第三色のサブ画素とを点灯する第３パターン、
前記第二色のサブ画素と前記第三色のサブ画素とを点灯する第４パターン、
前記第一色のサブ画素を点灯する第５パターン、
前記第二色のサブ画素を点灯する第６パターン、
前記第三色のサブ画素を点灯する第７パターンに分類し、
表示領域に表示する画像に応じて、前記画像の境界近傍の前記第１の方向又は前記第２の方向に隣接する複数の画素に対応するパターンの組み合わせを決定し、
前記複数の画素を決定したパターンの組み合わせで駆動する、
ことを特徴とする画素アレイの駆動方法。
【請求項１６】
前記境界近傍の前記第１の方向又は前記第２の方向に隣接する２つの画素を、前記第２パターンと前記第７パターン、又は、前記第３パターンと前記第６パターン、又は、前記第４パターンと前記第５パターン、の組み合わせで駆動する、
ことを特徴とする請求項１５に記載の画素アレイの駆動方法。
【請求項１７】
前記境界近傍の前記第１の方向又は前記第２の方向に隣接する３つの画素を、前記第１パターンと前記第２パターンと前記第７パターン、又は、前記第１パターンと前記第３パターンと前記第６パターン、又は、前記第１パターンと前記第４パターンと前記第５パターン、の組み合わせで駆動する、
ことを特徴とする請求項１５に記載の画素アレイの駆動方法。
【請求項１８】
前記第一色はＧ（Green）、前記第二色はＲ（Red）、前記第三色はＢ（Blue）である、ことを特徴とする請求項１５乃至１７のいずれか一に記載の画素アレイの駆動方法。